(57)【要約】【課題】容易にティッシュ箱を着脱することができるティッシュ箱ホルダを提供する。【解決手段】左右中央部に下方突出状の貼着用突出部３を有する底板部４と、底板部４の左右端縁部に連設される起立板部５と、起立板部５の上端縁部から側外方へ延伸状として上記底板部４と略平行な上板部６とを、一体成型する。起立板部５は、側内方へ弯曲する下弯曲部と、側外方へ折曲状乃至弯曲する上弯曲部とから成る２段弯曲状である。左右の上弯曲部の間にティッシュ箱を差込んで保持すると共に、左右の上板部６を指で下方へ押圧して、底板部４を上方凸状弓型に弾性変形させて左右の上弯曲部の間隔寸法を増大させてティッシュ箱を離脱可能に構成する。【選択図】図２
2015173740.tif 000002
【特許請求の範囲】
【請求項１】
左右中央部に下方突出状の貼着用突出部（３）を有する底板部（４）と、該底板部（４）の左右端縁部に連設される起立板部（５）と、該起立板部（５）の上端縁部から側外方へ延伸状として上記底板部（４）と略平行な上板部（６）とを、一体成型し、
さらに、上記起立板部（５）は、側内方へ弯曲する下弯曲部（８）と、側外方へ折曲状乃至弯曲する上弯曲部（９）とから成る２段弯曲状であって、左右の上記上弯曲部（９）の間にティッシュ箱（Ｔ）を差込んで保持すると共に、左右の上記上板部（６）を指で下方へ押圧して、上記底板部（４）を上方凸状弓型に弾性変形させて左右の上記上弯曲部（９）の間隔寸法（Ｌ）を増大させてティッシュ箱（Ｔ）を離脱可能に構成したことを特徴とするティッシュ箱ホルダ。
【請求項２】
上記上板部（６）の上面（７）を平面状宣伝表示面（１）とした請求項１記載のティッシュ箱ホルダ。
【請求項３】
平面視横細長矩形状とした請求項１又は２記載のティッシュ箱ホルダ。
【請求項４】
上記上弯曲部（９）の各内面（11）に、差込まれたティッシュ箱（Ｔ）に食い込む小突起（12）を形成した請求項１，２又は３記載のティッシュ箱ホルダ。
【発明の詳細な説明】
【技術分野】
【０００１】
本発明は、ティッシュ箱ホルダに関する。
【背景技術】
【０００２】
従来、ティッシュ箱ホルダとして、基板底壁の左右端縁部に側壁を連設し、左右側壁の各々の上端縁に上壁を連設したものが公知である（例えば、特許文献１参照）。
【０００３】
しかし、上壁が内方側へ延設されるとともに左右幅が小さいので、ティッシュ箱を取外す際、左右側壁間を離間させにくいという欠点があった。また、側壁がティッシュ箱の箱上部に相当する高さ寸法なので、不使用時にかさばるという欠点があった。
【先行技術文献】
【特許文献】
【０００４】
【特許文献１】特許第３２９３０３６号公報
【発明の概要】
【発明が解決しようとする課題】
【０００５】
解決しようとする課題は、ティッシュ箱を着脱する際、左右側壁間を離間させにくく、ティッシュ箱の着脱をスムーズに行なうことができない点である。また、不使用時にかさばる点である。
【課題を解決するための手段】
【０００６】
そこで、本発明に係るティッシュ箱ホルダは、左右中央部に下方突出状の貼着用突出部を有する底板部と、該底板部の左右端縁部に連設される起立板部と、該起立板部の上端縁部から側外方へ延伸状として上記底板部と略平行な上板部とを、一体成型し、さらに、上記起立板部は、側内方へ弯曲する下弯曲部と、側外方へ折曲状乃至弯曲する上弯曲部とから成る２段弯曲状であって、左右の上記上弯曲部の間にティッシュ箱を差込んで保持すると共に、左右の上記上板部を指で下方へ押圧して、上記底板部を上方凸状弓型に弾性変形させて左右の上記上弯曲部の間隔寸法を増大させてティッシュ箱を離脱可能に構成したものである。
【０００７】
また、上記上板部の上面を平面状宣伝表示面としたものである。
また、平面視横細長矩形状としたものである。
また、上記上弯曲部の各内面に、差込まれたティッシュ箱に食い込む小突起を形成したものである。
【発明の効果】
【０００８】
本発明のティッシュ箱ホルダによれば、容易にティッシュ箱を着脱することができる。また、コンパクトでかさばらない。さらに、目に付きやすい位置（垂直面に取着した場合の正面側）に宣伝広告を表示することができる。
【図面の簡単な説明】
【０００９】
【図１】本発明の第１の実施の形態の使用状態の一例を示す正面図である。
【図２】正面図である。
【図３】要部拡大断面説明図である。
【図４】要部拡大断面図である。
【図５】底面図である。
【図６】平面図である。
【図７】ティッシュ箱保持状態を示す説明図である。
【図８】ティッシュ箱を離脱させる状態を示す説明図である。
【図９】第２の実施の形態を示す正面図である。
【図１０】平面図である。
【図１１】第３の実施の形態を示す斜視図である。
【発明を実施するための形態】
【００１０】
以下、図示の実施の形態に基づいて本発明を詳説する。
図１〜図６は、本発明の第１の実施の形態を示す。このティッシュ箱ホルダは、例えば、ポリプロピレンを射出成型することにより製造される。垂直面Ｖに両面粘着テープ（図示省略）にて取付けられ、ティッシュ箱Ｔを挟着保持する。宣伝表示面１に、宣伝広告２を印刷等により表示することができる。
【００１１】
本発明の説明において、図１を除き、図２〜図11に示したように、底板部４を水平状として、かつ、下面に貼着用突出部３を前後縦長方向となるように配設した状態で、上下左右方向等の向きを説明する。
【００１２】
ティッシュ箱ホルダは、平面視横細長矩形状である。左右中央部に、下方突出状であって、下面15に両面粘着テープ（図示省略）を貼着する貼着用突出部３を有する底板部４と、底板部４の左右端縁部に連設される起立板部５と、起立板部５の上端縁部から側外方へ延伸状として底板部４と略平行な上板部６とが、一体成型されている。左右一対の上板部６の両方の上面７が平面状宣伝表示面１とされる。「略平行」とは、底板部４に対して±10°以内の傾きであることを言う。
【００１３】
各宣伝表示面１の面積Ｓ1 と、底板部４の（底面視）面積Ｓ4 を、Ｓ4 ×0.15≦Ｓ1 ≦Ｓ4 ×0.3 に設定する。宣伝表示面１の面積Ｓ1 が上記範囲にある場合、多くの宣伝広告２を表示することができる。Ｓ1 ＜Ｓ4 ×0.15の場合、少ししか宣伝広告２を表示することができない。Ｓ4 ×0.3 ＜Ｓ1 の場合、全体がかさばる。
【００１４】
図３に示すように、起立板部５は、側内方へ円弧状に弯曲する下弯曲部８と、側外方へ弯曲する上弯曲部９とから成る２段弯曲状である。言い換えると、起立板部５は、断面形状略Ｓ字状又は逆Ｓ字状である。図３は、下弯曲部８と上弯曲部９の範囲を示すために異なるハッチングとしているが、実際は同一材料から成る。一点鎖線は、下弯曲部８と上弯曲部９の範囲を示すための境界線である。
【００１５】
突出部３の厚さ寸法ｔを、２mm≦ｔ≦５mmに設定する。底板部４を大きく弓状弯曲させることが可能である。ｔ＜２mmの場合、底板部４を十分に弓状弯曲させることができない。５mm＜ｔの場合、必要以上に厚く、無駄である。
【００１６】
図４に示すように、上弯曲部９の各内面11に、小突条13が形成される。小突条13の横断面形状は丸みを帯びた三角形状であって、頂部14のアールの曲率半径ｒは、１mm以下に設定する。「曲率半径が１mm以下」には、角部（エッジ）としたものを含むものとする。この場合、ティッシュ箱Ｔに集中的に弾性力Ｆ，Ｆ（図７参照）がはたらいて、ティッシュ箱Ｔを確実に保持することができる。
【００１７】
全体の高さ寸法ｈを、ｈ≦20mmに設定する。この場合、下弯曲部８の弾性力が効率良く側内方へ伝わるとともに、全体がコンパクトとなる。20mm＜ｈの場合、全体がかさばる。
【００１８】
図７・図８に於て、ティッシュ箱Ｔを着脱する方法を説明する。すなわち、図７に示すように、左右の上弯曲部９，９の間に矢印Ａ方向へティッシュ箱Ｔを差込んで起立板部５の（側内方側斜め下方への）弾性力Ｆ，Ｆにより保持する。弾性力Ｆ，Ｆが側内方側斜め下方へはたらくので、ティッシュ箱Ｔを確実に抜止めすることができる。
【００１９】
図８に示すように、左右の上板部６を指で下方へ押圧力ｆにて押圧して、底板部４を上方凸状弓型に弾性変形させて左右の上弯曲部９，９の間隔寸法Ｌを（ティッシュ箱保持時の間隔寸法Ｌ1 よりも大きい間隔寸法Ｌ2 に）増大させて矢印Ｂ方向へティッシュ箱Ｔを取外し（離脱）可能である。ティッシュ箱Ｔの着脱の際、下弯曲部８、上弯曲部９等も弾性変形し、押圧力ｆを解除する際に、大きな力を発揮する。
【００２０】
図９・図10は、第２の実施の形態を示す。左右一対の上板部６のうち一方のみの上面７が平面状宣伝表示面１とされる。10は広告シールを貼着するための浅い（例えば、深さ0.3 mm以上0.7 mm以下の）凹所を示す。起立板部５は、側内方へ弯曲する下弯曲部８と、側外方へ折曲状の上弯曲部９とから成る２段弯曲状である。その他の構成は、第１の実施の形態と同様である。
【００２１】
図11は、第３の実施の形態を示す。上弯曲部９の各内面11に、差込まれたティッシュ箱Ｔ（図１・図７・図８参照）に食い込む小突起12が形成される。小突起12は、例えば、円錐形状に形成される。その他の構成は、第１の実施の形態又は第２の実施の形態と同様である。
【００２２】
なお、使用方法として、机の下面に貼着させる等、水平面に取付けて使用することもできる。
本発明は、設計変更可能であって、例えば、第１の実施の形態の上弯曲部９を折り曲げ状としたものとするも良い（図９参照）。また、第１の実施の形態の上板部６に凹所10を形成するも良い。また、第２の実施の形態の上弯曲部９を弯曲させ、かつ、上弯曲部９の内面11に小突条13を形成したものとするも良い（図２・図３・図４参照）。また、第２の実施の形態の凹所10を省略したものとするも良い。
【００２３】
以上のように、本発明は、左右中央部に下方突出状の貼着用突出部３を有する底板部４と、該底板部４の左右端縁部に連設される起立板部５と、該起立板部５の上端縁部から側外方へ延伸状として上記底板部４と略平行な上板部６とを、一体成型し、さらに、上記起立板部５は、側内方へ弯曲する下弯曲部８と、側外方へ折曲状乃至弯曲する上弯曲部９とから成る２段弯曲状であって、左右の上記上弯曲部９の間にティッシュ箱Ｔを差込んで保持すると共に、左右の上記上板部６を指で下方へ押圧して、上記底板部４を上方凸状弓型に弾性変形させて左右の上記上弯曲部９の間隔寸法Ｌを増大させてティッシュ箱Ｔを離脱可能に構成したので、容易にティッシュ箱Ｔを着脱することができる。また、コンパクトでかさばらない。さらに、容易に製造（成型）することができる。
【００２４】
また、上記上板部６の上面７を平面状宣伝表示面１としたので、目に付きやすい位置（垂直面Ｖに取着した場合の正面側）に宣伝広告２を表示することができる。
また、平面視横細長矩形状としたので、（平面視縦細長矩形状の場合と比較して）軽量化を図ることができる。
また、上記上弯曲部９の各内面11に、差込まれたティッシュ箱Ｔに食い込む小突起12を形成したので、ティッシュ箱Ｔを一層確実に保持することができる。
【符号の説明】
【００２５】
１  （平面状）宣伝表示面
３  貼着用突出部
４  底板部
５  起立板部
６  上板部
７  上面
８  下弯曲部
９  上弯曲部
11  内面
12  小突起
Ｌ  間隔寸法
Ｔ  ティッシュ箱
【図１】
2015173740.tif 000003
【図２】
2015173740.tif 000004
【図３】
2015173740.tif 000005
【図４】
2015173740.tif 000006
【図５】
2015173740.tif 000007
【図６】
2015173740.tif 000008
【図７】
2015173740.tif 000009
【図８】
2015173740.tif 000010
【図９】
2015173740.tif 000011
【図１０】
2015173740.tif 000012
【図１１】
2015173740.tif 000013